(57)【要約】      （修正有）【課題】組み立てが容易で、生ゴミにかかる荷重の調整が可能で安全性も高い生ゴミの水切り具を提供する。【解決手段】挿通孔を有して複数段載置可能な荷重プレートと、前記挿通孔を挿通し、１枚又は複数枚の前記荷重プレートを略水平な状態で吊支する吊支体とを含む。吊支体は、挿通孔を挿通する円柱状の棒体よりなる吊支棒本体と、吊支棒本体の下端に設けられて前記荷重プレートの落下を規制する落下規制部と、吊支棒本体の長さ方向の中間部分を、吊支棒本体の直径よりやや薄い厚さに削成してなる削成部と、を備える。荷重プレートは、削成部を貫通させつつプレートの縁から挿通孔に向かって進退自在に削成部を案内する案内溝を備える。吊支体は、荷重プレートを着脱自在に吊支するとともに、荷重プレートは落下規制部と削成部との間に配置される。【選択図】図１
0003154341.tif 000002
【実用新案登録請求の範囲】
【請求項１】
水切り用の複数の孔が設けられた生ゴミ収容容器内の生ゴミ上に載置されて自重で前記生ゴミを押圧し、前記生ゴミに含まれた水を切る生ゴミの水切り具において、
前記生ゴミを押圧するプレートであって、垂直方向に貫通する平面視略円形の挿通孔を有して複数段載置可能な荷重プレートと、
１枚の又は複数枚の前記荷重プレートを略水平な状態で吊支する吊支体とを含み、
前記吊支体は、
前記挿通孔の直径よりわずかに小さい直径を有して前記挿通孔を挿通する円柱状の棒体よりなる吊支棒本体と、
前記吊支棒本体の下端に設けられて前記荷重プレートの落下を規制する落下規制部と、
前記吊支棒本体の長さ方向の中間部分を、前記吊支棒本体の直径よりやや薄い厚さに削成してなる削成部と、を備え、
前記荷重プレートは、
前記削成部を貫通させつつ前記荷重プレートの縁から前記挿通孔に向かって進退自在に前記削成部を案内する溝であって、前記吊支棒本体の直径よりやや狭い幅を有する案内溝を備え、
前記吊支体は、前記案内溝を介して前記荷重プレートを着脱自在に吊支するとともに、前記荷重プレートは、前記挿通孔を前記吊支棒本体に挿通された状態で前記落下規制部と前記削成部との間に配置されることを特徴とする生ゴミの水切り具。
【請求項２】
前記吊支体は、前記吊支棒本体の側面に前記案内溝に挿入可能な係合部材を突設させ、前記係合部材が前記案内溝に挿入されて前記吊支棒本体の周側面に沿った前記荷重プレートの回転を係止することを特徴とする請求項１に記載の生ゴミの水切り具。
【請求項３】
前記案内溝に着脱自在に装着されて前記案内溝への生ゴミの侵入を防止する生ゴミ侵入防止ブロックを含むことを特徴とする請求項１又は２に記載の生ゴミの水切り具。
【請求項４】
前記吊支体は、前記荷重プレートの底面から下方にやや突出した突出部を含み、略平坦な面上に前記荷重プレートを傾斜させて載置させることを特徴とする請求項１〜３のいずれかに記載の生ゴミの水切り具。  
【請求項５】
吊り下げ用の持ち手を前記吊支棒本体の上端近傍に備えることを特徴とする請求項１〜４のいずれかに記載の生ゴミの水切り具。
【考案の詳細な説明】
【技術分野】
【０００１】
本考案は、家庭等で排出される生ゴミ上に載置され、自重によって前記生ゴミを押圧して含まれた水を切る生ゴミの水切り具に関するものである。
【背景技術】
【０００２】
家畜排せつ物や生ゴミ、木くずなどの動植物から生まれた再生可能な有機性資源はバイオマスと呼ばれる。とくに近年では、地球温暖化防止や循環型社会形成等の観点から、関係省庁が協力してバイオマスの利活用推進に関する具体的な行動計画が策定され、例えば「バイオマスタウン構想」等のような地方自治体を巻き込んだ取組みが推進されている。
【０００３】
このような中で、生ゴミは家畜排せつ物に比べて大きなエネルギー発生量を有することや堆肥としての利用価値が高いことが知られており、注目されている。しかし、生ゴミは、その約８０％を占める水分のため、腐りやすく悪臭が発生しやすい等の問題や、生ゴミを焼却する焼却施設に対する負荷も大きい等の問題がある。そのため、多くの自治体では、例えば各家庭等に対して、生ゴミを出す際に生ゴミの水切りを行ってゴミ回収箇所等に出すように指導している。
【０００４】
このような、生ゴミの水切り具として、例えば全体が漏斗状に形成された漏斗状水切り具が公知である。具体的には、漏斗状水切り具は、例えば家庭で日々排出される量の生ゴミを収容可能な程度の大きさの中空円錐体と、手で把持できる程度の大きさのパイプとからなり、前記中空円錐体の頂点部分に前記パイプを立設させたものである。
そして、この漏斗状水切り具の使用方法は、例えば正方形状のネットで生ゴミを包み込み、包み込まれた状態の生ゴミを中空円錐体の内側に配置し、ネットをパイプの中に通しながら反対側から引っ張り出す方法である。このネットを引っ張り出す力によって、生ゴミが中空円錐体に押し当てられることで含まれた水が絞り出されるのである。
【０００５】
したがって、公知の漏斗状水切り具によれば、ネットをパイプから引っ張り出す際にある程度力を加える必要があるため、手が不自由な者や非力な者にとっては十分に水切りを行うことが困難になるおそれがあるという問題があった。
このような、従来の生ゴミの水切り具に対して様々な提案がされている（たとえば特許文献１参照）。
【先行技術文献】
【特許文献】
【０００６】
【特許文献１】特開２００１−８７７４９号公報
【考案の開示】
【考案が解決しようとする課題】
【０００７】
特許文献１によれば、片面がゴミ押圧面に構成された円板部と、この円板部のゴミ押圧面と反対側の面の中央部に立設された柄部とから構成された水切り具が開示されている。
【０００８】
しかしながら、特許文献１によれば、円板部と柄部とを着脱できる構成としてもよいとの記載があるものの、具体的な構成に関しては明らかでない。
【０００９】
また、特許文献１によれば、例えば生ゴミの量が増えて円板部の荷重を増やす必要が生じた場合に、どのように荷重の調整を行うかに関しては明らかでない。
【００１０】
そこで、本考案は、上記従来の問題に鑑みてなされたものであり、その目的は、組立を容易に行うことができるとともに、生ゴミにかかる荷重の調整が可能でしかも安全性が高い生ゴミの水切り具を提供することにある。
【課題を解決するための手段】
【００１１】
請求項１の考案は、水切り用の複数の孔が設けられた生ゴミ収容容器内の生ゴミ上に載置されて自重で前記生ゴミを押圧し、前記生ゴミに含まれた水を切る生ゴミの水切り具において、前記生ゴミを押圧するプレートであって、垂直方向に貫通する平面視略円形の挿通孔を有して複数段載置可能な荷重プレートと、１枚の又は複数枚の前記荷重プレートを略水平な状態で吊支する吊支体とを含み、前記吊支体は、前記挿通孔の直径よりわずかに小さい直径を有して前記挿通孔を挿通する円柱状の棒体よりなる吊支棒本体と、前記吊支棒本体の下端に設けられて前記荷重プレートの落下を規制する落下規制部と、前記吊支棒本体の長さ方向の中間部分を、前記吊支棒本体の直径よりやや薄い厚さに削成してなる削成部と、を備え、前記荷重プレートは、前記削成部を貫通させつつ前記荷重プレートの縁から前記挿通孔に向かって進退自在に前記削成部を案内する溝であって、前記吊支棒本体の直径よりやや狭い幅を有する案内溝を備え、前記吊支体は、前記案内溝を介して前記荷重プレートを着脱自在に吊支するとともに、前記荷重プレートは、前記挿通孔を前記吊支棒本体に挿通された状態で前記落下規制部と前記削成部との間に配置される、生ゴミの水切り具である。
【００１２】
請求項２の考案は、請求項１に記載の生ゴミの水切り具において、前記吊支体は、前記吊支棒本体の側面に前記案内溝に挿入可能な係合部材を突設させ、前記係合部材が前記案内溝に挿入されて前記吊支棒本体の周側面に沿った前記荷重プレートの回転を係止することを特徴とした。
【００１３】
請求項３の考案は、請求項１又は２に記載の生ゴミの水切り具において、前記案内溝に着脱自在に装着されて前記案内溝への生ゴミの侵入を防止する生ゴミ侵入防止ブロックを含むことを特徴とした。
【００１４】
請求項４の考案は、請求項１〜３のいずれかに記載の生ゴミの水切り具において、前記吊支体は、前記荷重プレートの底面から下方にやや突出した突出部を含み、略平坦な面上に前記荷重プレートを傾斜させて載置させることを特徴とした。
【００１５】
請求項５の考案は、請求項１〜４のいずれかに記載の生ゴミの水切り具において、吊り下げ用の持ち手を前記吊支棒本体の上端近傍に備えることを特徴とした。
【考案の効果】
【００１６】
本考案によれば、水切り用の複数の孔が設けられた生ゴミ収容容器内の生ゴミ上に載置されて自重で前記生ゴミを押圧し、前記生ゴミに含まれた水を切る生ゴミの水切り具において、前記生ゴミを押圧するプレートであって、垂直方向に貫通する平面視略円形の挿通孔を有して複数段載置可能な荷重プレートと、１枚の又は複数枚の前記荷重プレートを略水平な状態で吊支する吊支体とを含み、前記吊支体は、前記挿通孔の直径よりわずかに小さい直径を有して前記挿通孔を挿通する円柱状の棒体よりなる吊支棒本体と、前記吊支棒本体の下端に設けられて前記荷重プレートの落下を規制する落下規制部と、前記吊支棒本体の長さ方向の中間部分を、前記吊支棒本体の直径よりやや薄い厚さに削成してなる削成部と、を備え、前記荷重プレートは、前記削成部を貫通させつつ前記荷重プレートの縁から前記挿通孔に向かって進退自在に前記削成部を案内する溝であって、前記吊支棒本体の直径よりやや狭い幅を有する案内溝を備え、前記吊支体は、前記案内溝を介して前記荷重プレートを着脱自在に吊支するとともに、前記荷重プレートは、前記挿通孔を前記吊支棒本体に挿通された状態で前記落下規制部と前記削成部との間に配置される構成であるから、例えば荷重プレートを略水平にした状態で、削成部を案内溝に沿って挿通孔まで移動させその後荷重プレートを下降させるとういう簡単な作業で容易に生ゴミの水切り具を組立てることができる。さらに、吊支体に吊支される荷重プレートの枚数を変えることで生ゴミにかかる荷重を調整可能な生ゴミの水切り具を提供できる。加えて、荷重プレートは落下規制部と削成部との間に配置されるため、生ゴミの水切り具を使用中に案内溝の幅より大きい直径を有する吊支棒本体から荷重プレートが外れて落下することもなく、安全性の高い生ゴミの水切り具を提供できる。
【００１７】
また、前記吊支体は、前記吊支棒本体の側面に前記案内溝に挿入可能な係合部材を突設させ、前記係合部材が前記案内溝に挿入されて前記吊支棒本体の周側面に沿った前記荷重プレートの回転を係止する構成であるから、吊支体で荷重プレートを吊支した状態で荷重プレートの回転が規制されて静止するので、生ゴミの水切り具の使い勝手が向上する。
【００１８】
また、前記案内溝に着脱自在に装着されて前記案内溝への生ゴミの侵入を防止する生ゴミ侵入防止ブロックを含む構成であるから、生ゴミの上に載置して水切りをしている間に生ゴミが案内溝に侵入することもないので、水切り残りが生じ難いとともに案内溝に侵入した生ゴミを除去する作業を必要としない使い勝手が更に向上した生ゴミの水切り具を提供できる。
【００１９】
また、前記吊支体は、前記荷重プレートの底面から下方にやや突出した突出部を含み、略平坦な面上に前記荷重プレートを傾斜させて載置させる構成であるから、前記荷重プレートを平坦な面に載置しても、荷重プレートの底面全体が載置面に接触しないので、底面に付着した生ゴミが載置面に再付着することを軽減でき、生ゴミの水切り具の衛生感が向上する。
【００２０】
また、吊り下げ用の持ち手を前記吊支棒本体の上端近傍に備える構成であるから、生ゴミの水切り具を手で持ちやすくなりさらに使い勝手が向上する。
【図面の簡単な説明】
【００２１】
【図１】本考案の第１実施形態に係る生ゴミの水切り具の斜視説明図である。
【図２】本考案の第１実施形態に係る荷重プレートの平面図及び正面図である。
【図３】本考案の第１実施形態に係る吊支体の正面説明図及び右側面説明図である。
【図４】本考案の第１実施形態に係る吊支体を説明する斜視図である。
【図５】本考案の第１実施形態に係る生ゴミの水切り具の実施例を説明する斜視図である。
【図６】本考案の第１実施形態に係る生ゴミの水切り具の実施例を説明する斜視図である。
【図７】本考案の第１実施形態に係る生ゴミの水切り具の実施例の正面説明図である。
【図８】本考案の第１実施形態に係る生ゴミの水切り具の他の実施例を説明する斜視図である。
【図９】本考案の第２実施形態に係る生ゴミの水切り具の斜視説明図である。
【考案を実施するための形態】
【００２２】
以下、本考案の第１実施形態に係る生ゴミの水切り具について説明する。
本実施形態の生ゴミの水切り具１０は、図１に示すように、水切り用の複数の孔１４が設けられた生ゴミ収容容器１２内の生ゴミＦ上に載置され、自重によって生ゴミＦを押圧し、生ゴミＦに含まれた水分を切るものである。
【００２３】
本実施形態において、生ゴミ収容容器１２は、図１に示すように、例えば流し等のシンクのコーナーに設置される市販のステンレス容器からなり、その中に生ゴミＦが収容される。具体的には、生ゴミ収容容器１２は、図１に示すように、シンクのコーナーに設置しやすいように、例えば平面視で略二等辺三角形状の有底筒体で形成され、上面全体を開放端とするとともに側面や底面に水切り用の複数の孔１４を開孔している。
【００２４】
本実施形態の生ゴミの水切り具１０は、図１に示すように、荷重プレート２０と、荷重プレート２０を吊支する吊支体３０と、持ち手５０を備える。
本実施形態の荷重プレート２０について、主に図２（ａ）及び図２（ｂ）を用いて説明する。図２（ａ）は、荷重プレート２０の平面図であり、図２（ｂ）は荷重プレート２０の正面図である。
本実施形態の荷重プレート２０は生ゴミＦを押圧する押圧手段であり、図１及び図２に示すように、例えば平面視略二等辺三角形状で、生ゴミ収容容器１２の内側に略摺接可能な程度の大きさを有するとともに生ゴミ収容容器１２の高さの略３分の１〜５分の１程度の厚さを有する平板状の石材製ブロックで形成される。
【００２５】
そして、荷重プレート２０は、図２（ａ）及び図２（ｂ）に示すように、その中央部に垂直方向に貫通する平面視略円形の挿通孔２２を有する。この挿通孔２２は、後述する吊支棒本体３２を挿通させるための貫通孔であり、例えば図２（ａ）に示すように、略二等辺三角形状の頂点と底辺を結ぶ線の略１０分の1〜２０分の1の直径Ｒを有する。このように形成される荷重プレート２０は、その板面どうしを略平行に配置して重ね合わせることで複数段載置可能な構成となっている（図８参照）。
【００２６】
また、荷重プレート２０は、図２（ａ）及び図２（ｂ）に示すように、後述する削成部３４を案内する案内溝２４を備える。この案内溝２４は、図２（ａ）及び図２（ｂ）に示すように、例えば荷重プレート２０の縁に設けられた開口２６から挿通孔２２に直線状に連通する貫通孔で形成される。案内溝２４に関しては、削成部３４を説明したのちに再述する。
【００２７】
なお、本実施形態の荷重プレート２０は、例えば花崗岩等の石材を加工してなるが、石材に限るものではなくステンレス製等の金属或いは合成樹脂を加工したものでもよい。また、荷重プレート２０の形状は、上述した平面視略二等辺三角形状に限るものではなく、例えば平面視で略円形等、生ゴミ収容容器の内周に応じた形状とすることができる。
【００２８】
次に、吊支体３０について、主に図３（ａ）、図３（ｂ）及び図４を用いて説明する。
図３（ａ）は吊支体３０を説明する正面図であり、図３（ｂ）は吊支体３０を説明する右側面図である。また図４は、吊支体３０を説明する斜視図である。
吊支体３０は、図３及び図４に示すように、吊支棒本体３２と、落下規制部３６と、削成部３４と、係合部材３８とを備える。
先ず、本実施形態の吊支棒本体３２は、図３（ａ）、図３（ｂ）及び図４に示すように、例えば荷重プレート２０の厚さの略５〜７倍の長さで、挿通孔２２の直径Ｒよりわずかに小さい直径Ｐを有する円柱状の棒体よりなる。したがって、吊支棒本体３２は、図１に示すように、荷重プレート２０の挿通孔２２を挿通可能な構成となっている。
【００２９】
次に、本実施形態の落下規制部３６は、図３（ａ）、図３（ｂ）及び図４に示すように、例えば挿通孔２２の直径Ｒの略２倍の直径を有する球体を略半割りにした半球体よりなる。そして、落下規制部３６は、図３（ａ）、図３（ｂ）及び図４に示すように、吊支棒本体３２の下端に設けられる。具体的には、半球体の半割り面３３を吊支棒本体３２の長手方向に対して略垂直に向けた状態で、半割り面３３が吊支棒本体３２の下端に例えば溶接などによって固定される。その際、吊支棒本体３２の長手方向の中心線が半割り面３３の略中心を通過するように配置される。したがって、後述のようにして落下規制部３６上に配置される荷重プレート２０は、半割り面３３に係止されて吊支体３０からの落下が規制される。
また、落下規制部は、上述した半球体よりなるものに限らず、例えば横棒片或いは円板片等のように荷重プレート２０に係止してその落下を規制できる任意の形状とすることができる。
【００３０】
次に、本実施形態の削成部３４は、図３（ａ）、図３（ｂ）及び図４に示すように、吊支棒本体３２の長さ方向の中間部分を、吊支棒本体３２の直径Ｐよりやや薄い厚さＤを有する、例えば板状に削成してなる。より詳しくは、削成部３４は、落下規制部３６から荷重プレート２０の厚さの略２倍の高さのところを基点とした上方の部分を荷重プレート２０の厚さよりやや長い長さで上述のように削成されてなる。          
【００３１】
ここで案内溝２４について再述すると、図２（ａ）及び図３（ｂ）に示すように、案内溝２４の幅Ｔは削成部３４の厚さＤよりやや広い幅Ｔを維持してなる。したがって、案内溝２４は、削成部３４を貫通させつつ荷重プレート２０の縁から挿通孔２２に向かって進退自在に案内可能な構成となっているのである（図５参照）。
かつまた、前記案内溝２４の幅Ｔは、吊支棒本体３２の直径Ｐよりやや狭い幅を維持してなる。したがって、当該幅Ｔより大きい直径Ｐを有する吊支棒本体３２の部分が、案内溝２４に沿って移動して外れることはない。この点については、再述する。
なお、案内溝２４は、削成部３４が挿入されやすいように、開口２６の角に面取り（図示せず）が施されていてもよい。  
【００３２】
次に、係合部材３８は、図３（ａ）、図３（ｂ）及び図４に示すように、例えば荷重プレート２０の厚さの略２倍の長さで案内溝２４の幅Ｔよりやや薄い厚さＳを有する四角柱状棒片、すなわち案内溝２４に挿入可能な四角柱状棒片で形成される。
【００３３】
そして、係合部材３８は、その長手方向を吊支棒本体３２の長手方向に平行にした状態で、吊支棒本体３２の側面であって落下規制部３６と削成部３４との間の側面に突設され吊支棒本体３２と一体に形成される。より詳しくは、図３に示すように、上述した板状の削成部３４の板面に対して略垂直方向に突出するように設けられる。
したがって、係合部材３８は、図１に示すように、案内溝２４に挿入されると、吊支棒本体３２の周側面に沿った荷重プレート２０の回転を係止可能な構成となっているのである。
なお、係合部材３８は、上述した四角柱状棒片に限るものではなく、板片であってよい。
【００３４】
次に、持ち手５０は、図３（ａ）、図３（ｂ）及び図４に示すように、例えば手で持てる程度の大きさで木製の円柱状ブロックで形成される。そして、持ち手５０は、図３（ａ）、図３（ｂ）及び図４に示すように、その長手方向を略水平にし、その中央部を吊支棒本体３２の上端近傍に貫通された状態で設けられる。図３において符号５２及び符号５３は、吊支棒本体３２に螺合して持ち手５０の上下方向の移動を規制するナットである。
持ち手は、本実施形態の円柱状ブロックに限るものではなく、例えば横棒或いは楕円状の環体等のように生ゴミの水切り具１０を手に吊り下げた状態で持つことができる任意の形状とすることができる。
【００３５】
ここで、以上のように構成される、吊支体３０と荷重プレート２０との組立方法の例について、図５〜図６を用いて説明する。図５及び図６は、本実施形態の吊支体３０と荷重プレート２０との組立方法の例を説明する斜視図である。
まず、図５（ａ）に示すように、例えば荷重プレート２０を略水平にし、吊支棒本体３２の長手方向を略垂直に向けた状態で、開口２６から削成部３４を案内溝２４に挿入する。
【００３６】
次に、図５（ｂ）に示すように、削成部３４を案内溝２４に沿って挿通孔２２まで移動させる。
次に、図６（ａ）に示すように、吊支体３０を吊支棒本体３２の長手方向の中止軸Ｍ周りに略９０度回転させる。
次に、図６（ｂ）に示すように、荷重プレート２０を吊支棒本体３２に沿って下降させる。その際、係合部材３８が案内溝２４の内側に略摺接しながら荷重プレート２０が下降する。そして、落下規制部３６に荷重プレート２０を当接させることで組立が完了する。このような簡単な作業によって、容易に生ゴミの水切り具１０を容易に組立てることができる。また、上述と逆の手順によって容易に分解することができる。
【００３７】
また、荷重プレート２０は、挿通孔２２を吊支棒本体３２に挿通された状態で落下規制部３６と削成部の間に配置させる構成となっているので、例えば持ち手５０を手に持って生ゴミの水切り具１０を持ち上げて移動させたりしても、案内溝２４の幅Ｔより大きい直径Ｐを有する吊支棒本体３２から荷重プレート２０が外れて落下することもなく、安全性の高い生ゴミの水切り具を提供できる。
【００３８】
また、係合部材３８が案内溝２４に挿入されて吊支棒本体３２の周側面に沿った荷重プレート２０の回転が係止されるので、例えば持ち手５０を手に持って生ゴミの水切り具１０を生ゴミ収容容器１２の開放端から挿入する際等に荷重プレート２０がぐらぐらせず挿入作業がしやすい等、生ゴミの水切り具の使い勝手が向上する。
【００３９】
なお、本実施形態の吊支体３０は、図７に示すように、荷重プレート２０の底面２７から下方にやや突出した突出部４０を含む。図７は、本実施形態に係る生ゴミの水切り具１０を平坦面Ｌに載置した様子の正面説明図である。
本実施形態の突出部４０は、上述した落下規制部３６によって兼用される。すなわち、図７に示すように、吊支棒本体３２の下端に設けられた落下規制部３６は、その半球体部分が、図７に示すように、荷重プレート２０の底面２７から下方にやや突出して突出部４０を形成している。
【００４０】
したがって、図７に示すように、生ゴミの水切り具１０を平坦面Ｌに載置しても、突出部４０によって荷重プレート２０の底面２７が略水平な平坦面Ｌに対して傾斜した状態とすることができる。したがって、荷重プレート２０の底面２７全体が載置面に接触しないので、底面２７に付着した生ゴミが載置面に再付着することを軽減でき、生ゴミの水切り具１０の衛生感が向上する。
本実施形態において、突出部４０は、半球体よりなるが、例えば三角錐状等のように荷重プレート２０の底面２７を平坦な面対して傾斜させることができる任意の形状としてもよい。
【００４１】
ここで、本実施形態の生ゴミの水切り具１０の他の実施例について図８を用いて説明する。
図８は、２枚の荷重プレート２０をそれぞれ上述したと同様の手順で吊支体３０に装着し、これらの２枚の荷重プレート２０を吊支体３０で吊支した様子を示している。このように荷重プレート２０を複数段載置することで、例えば生ゴミの量が増加した場合などであっても、生ゴミＦにかかる荷重を調整可能な生ゴミの水切り具１０を提供できる。
【００４２】
次に、本考案の第２実施形態について図９を用いて説明するが、第１実施形態と同一の部材には同一の符号を付して説明を省略する。第２実施形態の生ゴミの水切り具おける第１実施形態の生ゴミの水切り具１０との相違点は、生ゴミ侵入防止ブロックを備える点である。図９は、本考案の第２実施形態に係る生ゴミの水切り具８０の斜視説明図である。      
【００４３】
本実施形態の生ゴミ侵入防止ブロック６０は、図９に示すように、嵌合ブロック６２と、天板６３と、底板６４とを備える。
嵌合ブロック６２は、図９に示すように、例えば案内溝２４に嵌合可能な程度の大きさで直方体状のブロックで形成される。また、天板６３及び底板６４は、図９に示すように、案内溝２４を覆うことができる程度の広さを有する長方形状の薄板で形成される。そして、嵌合ブロック６２は、図９に示すように、天板６３と底板６４とが上下方向に対向配置されるとともに、嵌合ブロック６２が天板６３と底板６４とで挟持する態様で配置される。このように、生ゴミ侵入防止ブロック６０は、図９に示すように、嵌合ブロック６２と、天板６３と、底板６４とで一体に形成され、断面視略工字状に形成される。また、生ゴミ侵入防止ブロック６０は、例えばシリコンゴム等のようにある程度の可撓性を有する合成樹脂製で形成される。
【００４４】
したがって、図９に示すように、嵌合ブロック６２が開口２６から案内溝２４に着脱自在に挿入されることで、生ゴミ侵入防止ブロック６０が案内溝２４に着脱自在に装着される。このように、案内溝２４に装着されて生ゴミ侵入防止ブロック６０は、案内溝２４への生ゴミの侵入を防止するのである。
生ゴミ侵入ブ防止ロックは、本実施形態の断面視略工字状に形成されるものに限らず、生ゴミ侵入防止ブロック６０の天板６３を除いたもの、或いは嵌合ブロック６２のみからなるものであってもよい。
【００４５】
このように、本実施形態の生ゴミの水切り具１０，８０によれば、吊支体３０は、案内溝２４を介して荷重プレート２０を着脱自在に吊支する構成となっているので、吊支体３０と荷重プレート２０とをそれぞれ異なる性質の素材で形成することが可能となり、材料選択の多様性を有する生ゴミの水切り具１０を提供できる。例えば吊支体３０を金属製とし、荷重プレート２０を石材製にする組合せ、或いは吊支体３０と荷重プレート２０をそれぞれ金属製とする組合せ、或いは吊支体３０を金属製とし、荷重プレート２０を合成樹脂製とする組合せ等とすることができる。特に、荷重プレート２０を例えば花崗岩として表面を平滑に研磨し、吊支体３０をステンレス製とし、持ち手５０を木製にする等により生ゴミの水切り具１０の意匠上の効果も高くなる。
【００４６】
これまで説明してきたように、本実施形態の生ゴミの水切り具１０，８０によれば、組立を容易に行うことができるとともに、生ゴミにかかる荷重の調整が可能でしかも安全性が高い生ゴミの水切り具を提供することができる。
【００４７】
以上、本考案の実施形態のうちのいくつかを図面に基づいて詳細に説明したが、これらはあくまでも例示であり、当業者の知識に基づいて種々の変形、改良を施した他の形態で本考案を実施することが可能である。
【符号の説明】
【００４８】
１０，８０  生ゴミの水切り具  
１２  生ゴミ収容容器
１４  孔
２０  荷重プレート
２２  挿通孔
２４  案内溝
３０  吊支体
３２  吊支棒本体
３４  削成部
３６  落下規制部
３８  係合部材
４０  突出部
５０  持ち手
６０  生ゴミ侵入防止ブロック
Ｆ  生ゴミ
Ｄ  削成部の厚さ
Ｐ  吊支棒本体の直径
Ｒ  挿通孔の直径
Ｔ  案内溝の幅
【図１】
0003154341.tif 000003
【図２】
0003154341.tif 000004
【図３】
0003154341.tif 000005
【図４】
0003154341.tif 000006
【図５】
0003154341.tif 000007
【図６】
0003154341.tif 000008
【図７】
0003154341.tif 000009
【図８】
0003154341.tif 000010
【図９】
0003154341.tif 000011